(57)【要約】【課題】モーター駆動による騒音を増加させることがなく、レンズ鏡筒の省スペース化を図ることが可能となるレンズ鏡筒及び該レンズ鏡筒を有する光学機器を提供する。【解決手段】回転することでレンズを光軸方向へ駆動させるモータシャフトと、前記モータシャフトを回転させるモータ９と、前記モータシャフトおよび前記モータを保持する保持部材とを備えたレンズ鏡筒において、  前記保持部材は、２箇所で鏡筒本体に固定されており、前記２箇所のうち一方ではビスによって固定（１ｃ，９ｄ）され、他方では嵌め合いによって固定（１ｅ，９ｅ）される構成とする。【選択図】            図３
2006208423.tif 000002
【特許請求の範囲】
【請求項１】
回転することでレンズを光軸方向へ駆動させるモータシャフトと、前記モータシャフトを回転させるモータと、前記モータシャフトおよび前記モータを保持する保持部材とを備えたレンズ鏡筒において、
前記保持部材は、２箇所で鏡筒本体に固定されており、前記２箇所のうち一方ではビスによって固定され、他方では嵌め合いによって固定されることを特徴とするレンズ鏡筒。
【請求項２】
前記保持部材は、前記光軸方向に略直交する方向から前記鏡筒本体に取付けられ、前記モータシャフトの前記光軸方向における両側の２箇所で前記鏡筒本体に固定されることを特徴とする請求項１に記載のレンズ鏡筒
【請求項３】
前記嵌め合いによる固定が、前記保持部材に形成された引っ掛け部と、前記鏡筒本体側に形成された前記引っ掛け部を係止する係止部とで構成されていることを特徴とする請求項１または請求項２に記載のレンズ鏡筒。
【請求項４】
前記係止部は、前記引っ掛け部を前記係止部において嵌め合いにより固定した状態で、前記係止部が光軸に略直交する方向に浮くのを防止する当接部を有することを特徴とする請求項３に記載のレンズ鏡筒。
【請求項５】
前記モータシャフトに対し、光軸に近い側を嵌め合いによる固定とし、光軸に遠い側をビスによる固定としたことを特徴とする請求項１〜４のいずれか１項に記載のレンズ鏡筒。
【請求項６】
前記レンズ鏡筒と前記保持部材は、それぞれにお互いの位置決めを行う複数の位置決め手段を備え、前記複数の位置決め手段のうち少なくとも一つは光軸に略垂直な任意方向の位置決め手段であり、他の少なくとも一つは前記光軸方向の位置決め手段であることを特徴とする請求項１〜５のいずれか１項に記載のレンズ鏡筒。
【請求項７】
前記複数の位置決め手段の少なくとも一つは、前記モータシャフトに対して光軸に近い側に位置することを特徴とする請求項１〜６のいずれか１項に記載のレンズ鏡筒。
【請求項８】
前記光軸方向の位置決め手段の少なくとも一つは、穴とピンの嵌合による位置決め手段であることを特徴とする請求項１〜７のいずれか１項に記載のレンズ鏡筒。
【請求項９】
前記光軸方向の位置決め手段の少なくとも一つは、光軸に略垂直な面同士の突き当てによる位置決め手段であることを特徴とする請求項１〜８のいずれか１項に記載のレンズ鏡筒。
【請求項１０】
前記光軸方向の位置決め手段の少なくとも一つは、光軸に略平行な面同士を突き当ててスナップフィットさせる位置決め手段であることを特徴とする請求項１〜９のいずれか１項に記載のレンズ鏡筒。
【請求項１１】
前記モータが、前記モータシャフトとしてリードスクリュが一体的に設けられたステッピングモータであることを特徴とする請求項１〜１０のいずれか１項に記載のレンズ鏡筒。
【請求項１２】
請求項１〜１１のいずれか１項に記載のレンズ鏡筒を有することを特徴とする光学機器。
【発明の詳細な説明】
【技術分野】
【０００１】
本発明は、デジタルカメラ、ビデオカメラ、銀塩カメラ等の撮像装置、その他の光学機器に用いられるレンズ鏡筒及び該レンズ鏡筒を有する光学機器に関し、特に光学系を構成するレンズ群を駆動するモータを、モータ保持部を介して鏡筒本体に取り付けるようにしたレンズ鏡筒及び該レンズ鏡筒を有する光学機器に関するものである。
【背景技術】
【０００２】
従来において、光学系を構成するレンズ群を駆動するモータを、モータ保持部を介して鏡筒本体に取り付けるに際しては、コ字形の保持部材を光軸と直交する方向から、モータシャフトを挟んで両側から固定用ビスにより固定する方法が一般に用いられている。これをさらに具体的に説明すると、例えば図２に示すように、変倍系もしくは焦点調節系のレンズ群を駆動するアクチュエイタユニット２２が、コ字形の保持部材２２ａとコ字形の保持部材２２ａに保持されているネジ加工が施されたモータシャフト２２ｃを有するモータ２２ｂとで構成され、このアクチュエイタユニット２２を鏡筒本体２１の取り付け部２１ａに取り付けるに際し、コ字形の保持部材を光軸と直交する方向から、モータシャフトを挟んで両側から固定用ビスによって固定されるように構成されている。
【０００３】
また、このようにモータシャフトを挟んで両側から固定用ビスによって固定する方法だけでなく、例えば特許文献１のように、モータシャフトに対して片側のみを、ビスで固定するようにしたレンズ鏡筒も知られている。
【特許文献１】特許第３４５１５０４号号公報
【発明の開示】
【発明が解決しようとする課題】
【０００４】
しかしながら、上記モータシャフトを挟んで両側から固定用ビスによって固定する従来例では、鏡筒本体に対するモータ保持部の強度を確保することができるが、レンズ鏡筒を小型化する上で問題を有している。すなわち、コ字保持部材のビス止め位置はモータシャフトの両側に配置されているため、モータシャフトより光軸に近い側に取り付けられるビスの受け部の内側の面を、光軸から内面反射ゴースト等が発生しない位置まで遠ざける必要があり、レンズ鏡筒の省スペース化の妨げとなる。
また、上記特許文献１のものにおいては、止めビス位置をモータシャフトに対して光軸から遠い側のみに配置することにより、省スペース化を図れることが可能となるが、モータシャフトに対して片側だけしか支持していないことから、モータ駆動時に、コ字保持部材の固定されていない部分が振動し、レンズ鏡筒から騒音を発生させる等の問題を有している。
【０００５】
本発明は、上記課題に鑑み、モータ駆動による騒音を増加させることがなく、レンズ鏡筒の省スペース化を図ることが可能となるレンズ鏡筒及び該レンズ鏡筒を有する光学機器を提供することを目的とするものである。
【課題を解決するための手段】
【０００６】
本発明は、以下のように構成したレンズ鏡筒及び該レンズ鏡筒を有する光学機器を提供するものである。
すなわち、本発明のレンズ鏡筒は、回転することでレンズを光軸方向へ駆動させるモータシャフトと、前記モータシャフトを回転させるモータと、前記モータシャフトおよび前記モータを保持する保持部材とを備えたレンズ鏡筒において、
前記保持部材は、２箇所で鏡筒本体に固定されており、前記２箇所のうち一方ではビスによって固定され、他方では嵌め合いによって固定されることを特徴としている。その際、前記保持部材は、前記光軸方向に略直交する方向から前記鏡筒本体に取付けられ、前記モータシャフトの前記光軸方向における両側の２箇所で前記鏡筒本体に固定するように構成することができる。
また、本発明の光学機器は、上記したレンズ鏡筒を有することを特徴としている。
【発明の効果】
【０００７】
本発明によれば、モータ駆動による騒音を増加させることがなく、レンズ鏡筒の省スペース化を図ることが可能となるレンズ鏡筒及び該レンズ鏡筒を有する光学機器を実現することができる。
【発明を実施するための最良の形態】
【０００８】
本発明は、上記構成により本発明の課題を達成することが可能となるが、本発明の実施の形態においては、このレンズ鏡筒をより具体的には、前記保持部をコ字状の保持部材とし、前記嵌め合いによる固定を、前記する保持部材に形成された引っ掛け部と、前記鏡筒本体側に形成された前記引っ掛け部を係止する係止部とで構成することができる。その際、前記係止部には、前記引っ掛け部を嵌め合いにより固定した状態で、前記コ字状の保持部材が光軸に略直交する方向に浮くのを防止する当接部を構成することができる。
そして、前記モータシャフトに対し、光軸に近い側を嵌め合いによる固定とし、光軸に遠い側をビスによる固定とすることで、光軸近傍へビス足受け部が出っ張ることをなくすことができ、モータシャフトに対して両側を固定することが可能となるので、モータ駆動による騒音を増加させることなく、レンズ鏡筒の省スペース化を図ることが可能となる。
【実施例】
【０００９】
以下に、本発明の実施例について説明する。
［実施例１］
実施例１では、上記した本発明を適用してレンズ鏡筒を構成した。
図１は、本実施例のレンズ鏡筒の構成を示す分解斜視図である。
図１において、１は第１レンズ群を保持する略円筒状且つ固定の第１のレンズ保持部材、２は第２レンズ群を保持し、移動により変倍を行う第２のレンズ保持部材、３は第３レンズ群を保持する固定の第３のレンズ保持部材、４は第４レンズ群を保持し、移動によりフォーカスを行う第４のレンズ保持部材、５は撮像素子の取付部を有する後部固定鏡筒である。
【００１０】
第２のレンズ保持部材２の穴２ａ，２ｂにより支持されたラック歯８は、第１のレンズ保持部材１に固定された第１のステッピングモータ９のモータシャフト９ａと噛み合い、第１のステッピングモータ９のモータシャフト９ａが回転することで、第２のレンズ保持部材２を光軸方向に駆動する。
第２のレンズ保持部材２の突起部２ｃと、第１のレンズ保持部材１に固定されたセンサースイッチ１０は第２のレンズ群の位置検出手段を構成しており、センサースイッチ１０の出力により、第２のレンズ保持部材２の初期位置は決定される。
１８は絞りユニットであり、この絞りユニット１８は絞り羽根（図示せず）を２枚有しており、２枚の羽根で形成する開口部の面積を変化することにより、光量調整を可能としている。
【００１１】
第４のレンズ保持部材４は、第３のレンズ保持部材３と第５のレンズ保持部材５により固定されたガイドバー６，７に移動可能に支持され、光軸方向に移動可能である。
第４のレンズ保持部材４の穴４ａ，４ｂにより支持されたラック歯８は、後部固定鏡筒１５にビス１４により固定された第２のステッピングモータ１３のモータシャフト１３ａと噛み合い、第２のステッピングモータ９のモータシャフト１３ａが回転することで、第４のレンズ保持部材４を光軸方向に駆動する。
第４のレンズ保持部材４の突起部４ａと、後部固定鏡筒１５に固定されたセンサースイッチ１９は第４レンズ群の位置検出手段を構成しており、センサースイッチ１９の出力に基づき第４のレンズ保持部材４の初期位置は決定される。
【００１２】
以上、本実施例に係るレンズ鏡筒の全体構成を示したが、次に本実施例に係るモータユニット取り付け構造について説明する。
図３（Ａ），（Ｂ），（Ｃ），（Ｄ），（Ｅ）は、第１のレンズ保持部材１及び第１のステッピングモータ９の取り付け手順を説明するための部分斜視図であり、図４は第１のステッピングモータ９が第１のレンズ保持部材１に取り付いた状態を示す断面図である。
図３（Ａ）は第１のレンズ保持部材１と第１のステッピングモータ９が組み付けられる前の図であり、１ａは第１の位置決めピン、１ｂは第２の位置決めピン、１ｃはビス穴、１ｄは座面、１ｅは切り欠き部、１ｆは浮き防止部、９ｂは位置決め穴、９ｃは位置決め鍵穴の丸穴部、９ｄは穴、９ｅは引っ掛け部、９ｆは位置決め鍵穴の嵌合部である。
図３（Ｂ）にて、第１のステッピングモータ９の引っ掛け部９ｅを第１のレンズ保持部材１に設けた切り欠き部１ｅに位置合わせを行い差し込む。
図３（Ｃ）にて更に第１のステッピングモータ９を更に光軸方向へ近づけて位置決め鍵穴の丸穴部９ｃ近傍を第１のレンズ保持部材１に接触させる。この時、第１のステッピングモータ９は第１のレンズ保持部材１に対して傾きを持っている状態なので、第２の位置決めピン１ｂと位置決め鍵穴の丸穴部９ｃは厚さ方向でオーバーラップしており幅方向にラフガイドされているが、第１の位置決めピン１ａ近傍では第１の位置決めピン１ａの高さの分だけ第１のステッピングモータ９は浮いている状態となっている。
【００１３】
次に、図３（Ｄ）にて第１のステッピングモータ９を第１のレンズ保持部材１に対して前記傾きを持った状態で略光軸方向へスライドさせる。これにより引っ掛け部９ｅが第１のレンズ保持部材１の内径側に設けた浮き防止部１ｆに接近する。また、第２の位置決めピン１ｂは位置決め鍵穴の嵌合部９ｆの位置に来ており、第１の位置決めピン１ａと位置決め穴９ｂの光軸に平行な方向の位置は略一致した状態となっている。
次に、図３（Ｅ）にて第１のステッピングモータ９を引っ掛け部９ｅ近傍を中心としてビス穴１ｃ周りの座面１ｄと接触するまで回転させる。この時、第１の位置決めピン１ａと９ｂは位置決め穴が嵌合し、第２の位置決めピン１ｂと位置決め鍵穴の嵌合部９ｆとの嵌合と併せて、第１のステッピングモータ９は第１のレンズ保持部材１に対して光軸に平行な方向及び幅方向の位置決めが成されている。
また、前記第１のステッピングモータ９の回転により接近していた引っ掛け部９ｅと浮き防止部１ｆが当接し当該部とビス穴１ｃ周りの座面及び座面１ｄにより板金浮き方向が規制されている。（図４）
この状態で、ビス穴１ｃにビスをねじ込んで第１のステッピングモータ９と第１のレンズ保持部材１の固定が成される。
【００１４】
以上のとおり、本実施例によれば、第１のステッピングモータ９のモータシャフトに対して、ビス固定側はビスによって反対側は前記引っ掛け部により浮き方向が規制されているので、モータ駆動の振動による騒音の発生を低減することが可能となる。
第１のステッピングモータ９を第１のレンズ保持部材１に固定するのに、モータシャフトに対して光軸に近い側を引っ掛け固定、遠い側をビス固定としている。ビス固定位置は、第１のレンズ保持部材１の略円筒形状の円筒の略接線位置に設けており、ビス足部の肉が略円筒部の肉厚部を利用している。
一方、引っ掛け固定部はビス固定部のビス足部程スペースを必要としないので、モータを光軸により近づけることが可能となりレンズ鏡筒の省スペース化が図れる。尚、第１のレンズ保持部材１の内径側出っ張り量に制約があるのは、内径側出っ張り部が光軸に近い位置に有ると、該出っ張り部による反射光が撮像素子に入り撮像画像の品質が著しく低下するといった問題点が発生するので、第１のレンズ保持部材１の内径側出っ張りは光軸に対して適距離離す必要が有るためである。
また、本実施例ではステッピングモータを固定するビスを２個用いたが、１個のみで固定可能であれば、ビス止め箇所が１箇所でも良い。
【００１５】
［実施例２］
実施例２では、上記した本発明を適用して実施例１とは異なる形態のレンズ鏡筒を構成した。
図５及び図６に、本実施例における第１のレンズ保持部材及び第１のステッピングモータの構成の説明図を示す。これらの図において（Ａ）は正面図、（Ｂ）は上面図、（Ｃ）は右側面図、（Ｄ）は左側面図である。
なお、本実施例の構成は、実施例１のものと第１のステッピングモータ及び第１のレンズ保持部材の形状が異なるだけであるので、実施例１と共通する部分の説明は省略する。
【００１６】
図５において１０１は第１のレンズ保持部材、１０１ａは第１の浮き防止部、１０１ｂは第２の浮き防止部、１０１ｃは位置決めピン、１０１ｄは第１の受け面、１０１ｅは第２の受け面、１０１ｆはビス穴、１０１ｇは切り欠き部である。
また、図６において、１０２は第１のステッピングモータ、１０２ａは第１の引っ掛け部、１０２ｂは第２の引っ掛け部、１０２ｃは位置決め鍵穴の丸穴部、１０２ｉは位置決め鍵穴の嵌合部、１０２ｄは第１の突き当て面、１０２ｅは第２の突き当て面、１０２ｆはビス穴、１０２ｈはモータシャフトである。
【００１７】
つぎに、本実施例におけるステッピングモータを組付ける手順について説明する。
図７に、本実施例の第１のレンズ保持部材１０１に第１のステッピングモータ１０２を組付ける手順を説明する斜視図を示す。
図７（Ａ）において、第１のレンズ保持部材１０１中心軸即ち光軸と、第１のステッピングモータ１０２のモータシャフト１０２ｈの中心軸は略平行であり、光軸に平行な方向に関しては、切り欠き部１０１ｇと第１の引っ掛け部１０２ａ、位置決めピン１０１ｃと位置決め鍵穴の丸穴部１０２ｃが略一致した位置にあり、第２の浮き防止部１０１ｂ、と第２の引っ掛け部１０２ｂはずれた位置にある。
【００１８】
図７（Ｂ）において、第１のステッピングモータ１０２を光軸に垂直な方向へ第１の受け面１０１ｄと第１の突き当て面１０２ｄが接触するまで並行移動させる。この時、位置決めピン１０１ｃが位置決め鍵穴の丸穴部１０２ｃに入ってラフガイドされている。
図７（Ｃ）において、第１のステッピングモータ１０２を、第２の受け面１０１ｅと第２の突き当て面１０２ｅとが当接するまで光軸方向へ平行移動し、ビス穴１０１ｆにビス（図示せず）をねじこんでビス止めして第１のステッピングモータ１０２を第１のレンズ保持部材１０１に固定する。この時、光軸に平行な方向は第２の受け面１０１ｅと第２の突き当て面１０２ｅの突き当てにより位置決めされており、幅方向は位置決めピン１０１ｃと位置決め鍵穴の嵌合部１０２ｉの嵌合により位置決めされている。
また、第１の引っ掛け部１０２ａ及び第２の引っ掛け部１０２ｂはそれぞれ第１の浮き防止部１０１ａ及び第２の浮き防止部１０１ｂに当接し、浮き方向を規制されて位置決めされている。
【００１９】
以上のとおり、本実施例においては、第１のステッピングモータの第１のレンズ保持部材への光軸方向の位置決めを、ピンと穴の嵌合ではなく面同士による突き当てにより行うように構成されている。そのため、第１のレンズ保持部材に設けるピンと第１のステッピングモータに設ける穴による位置決めは、幅方向のみ行えば良く、第１のステッピングモータに設ける穴は、長手方向の２箇所とも長穴もしくは鍵穴で良く、第１のステッピングモータの引っ掛け部を第１のレンズ保持部材の浮き防止部に引っ掛ける際に、光軸方向のスライドのみで行うことができる。
したがって、２箇所のピンのスパン及びピン高さに関わらず、組立てが可能となる。
【００２０】
［実施例３］
実施例３では、上記した本発明を適用して実施例１及び実施例２とは異なる形態のレンズ鏡筒を構成した。
図８及び図９に、本実施例の第１のレンズ保持部材及び第１のステッピングモータの構成の説明図を示す。これらの図において（Ａ）は正面図、（Ｂ）は上面図、（Ｃ）は右側面図、（Ｄ）は左側面図である。
なお、本実施例の構成は、実施例１のものと第１のステッピングモータ及び第１のレンズ保持部材の形状が異なるだけであるので、実施例１と共通する部分の説明は省略する。
【００２１】
図８において、２０１は第１のレンズ保持部材、２０１ａは第１の浮き防止部、２０１ｂは第２の浮き防止部、２０１ｃは位置決めピン、２０１ｄは第１の受け面、２０１ｅは第２の受け面、２０１ｆは第３の浮き防止部、２０１ｇは切り欠き部であり、２０１ｈは第３の突き当て部、２０１ｉは第３の突き当て部支持部である。
また、図９において、２０２は第１のステッピングモータ、２０２ａは第１の引っ掛け部、２０２ｂは第２の引っ掛け部、２０２ｃは位置決め鍵穴の丸穴部、２０２ｉは位置決め鍵穴の嵌合部、２０２ｄは第１の突き当て面、２０２ｅは第２の突き当て面、２０２ｆは第３の突き当て面、２０２ｇは第３の引っ掛け部、２０２ｈはモータシャフトである。
【００２２】
つぎに、本実施例におけるステッピングモータを組付ける手順について説明する。
図１０に、本実施例の第１のレンズ保持部材２０１に第１のステッピングモータ２０２を組付ける手順を説明する斜視図を示す。
図１０（Ａ）において、第１のレンズ保持部材２０１中心軸即ち光軸と、第１のステッピングモータ２０２のモータシャフト２０２ｈの中心軸は略平行であり、光軸に平行な方向に関しては、切り欠き部２０１ｇと第１の引っ掛け部２０２ａ、位置決めピン２０１ｃと位置決め鍵穴の丸穴部２０２ｃが略一致した位置にあり、第２の浮き防止部２０１ｂ、と第２の引っ掛け部２０２ｂ及び第３の浮き防止部２０１ｆ、と第３の引っ掛け部２０２ｇはずれた位置にある。
【００２３】
図１０（Ｂ）において、第１のステッピングモータ２０２を光軸に垂直な方向へ第１の受け面２０１ｄと第１の突き当て面２０２ｄが接触するまで平行移動させる。この時、位置決めピン２０１ｃが位置決め鍵穴の丸穴部２０２ｃに入ってラフガイドされている。また、第３の突き当て部支持部２０１ｉがバネ性を持っているので第３の突き当て部２０１ｈは第１のステッピングモータ２０２により押し下げられている状態である。
【００２４】
図１０（Ｃ）において、第１のステッピングモータ２０２を、第２の受け面２０１ｅと第２の突き当て面２０２ｅとが当接するまで光軸方向へ平行移動する。第３の突き当て部２０１ｈは第３の突き当て部支持部２０１ｉのバネ性によりスナップフィットとなっており第３の突き当て部２０１ｈと第３の突き当て面２０２ｆとが突き当たった状態である。
よって、第１のステッピングモータ２０２は第３の突き当て部２０１ｈ及び第２の受け面２０１ｅにより光軸方向の移動を規制されている。
【００２５】
また、第１の引っ掛け部２０２ａ、第２の引っ掛け部２０２ｂ及び第３の引っ掛け部２０２ｇはそれぞれ第１の浮き防止部２０１ａ、第２の浮き防止部２０１ｂ及び第３の浮き防止部２０１ｆに当接し、引っ掛かった状態で浮き方向に規制されている。
更に、この状態で位置決め鍵穴の嵌合部２０２ｉと位置決めピン２０１ｃの嵌合により第１のステッピングモータ２０２は幅方向を規制され位置決めされているので、第１のステッピングモータ２０２は第１のレンズ保持部材２０１にいずれの方向にも規制されている。
【００２６】
以上のとおり、本実施例によれば、ステッピングモータとレンズ保持部材の固定にスナップフィットを用いたので、ビスを用いる場合に対してコストダウンと作業性の向上を図ることが可能となる。
【図面の簡単な説明】
【００２７】
【図１】本発明の実施例１におけるレンズ鏡筒の構成を示す分解斜視図。
【図２】従来例のレンズ鏡筒の構成を示す斜視図。
【図３】本発明の実施例１における第１のレンズ保持部材及び第１のステッピングモータの取り付け手順を説明するための部分斜視図。
【図４】本発明の実施例１における第１のステッピングモータが第１のレンズ保持部材に取り付いた状態を示す断面図。
【図５】本発明の実施例２における第１のレンズ保持部材及び第１のステッピングモータの構成の説明図。
【図６】本発明の実施例２における第１のレンズ保持部材及び第１のステッピングモータの構成の説明図。
【図７】本発明の実施例２における第１のレンズ保持部材に第１のステッピングモータを組付ける手順を説明する斜視図。
【図８】本発明の実施例３における第１のレンズ保持部材及び第１のステッピングモータの構成の説明図。
【図９】本発明の実施例３における第１のレンズ保持部材及び第１のステッピングモータの構成の説明図。
【図１０】本発明の実施例３における第１のレンズ保持部材に第１のステッピングモータを組付ける手順を説明する斜視図。
【符号の説明】
【００２８】
１：第１のレンズ保持部材
１ａ：第１の位置決めピン
１ｂ：第２の位置決めピン
１ｃ：ビス穴
１ｄ：座面
１ｅ：切り欠き部
１ｆ：浮き防止部
２：第２のレンズ保持部材
９：第１のステッピングモータ
９ａ：モータシャフト
９ｂ：位置決め穴
９ｃ：位置決め鍵穴の丸穴部
９ｅ：引っ掛け部
９ｆ：位置決め鍵穴の嵌合部
【図１】
2006208423.tif 000003
【図２】
2006208423.tif 000004
【図３】
2006208423.tif 000005
【図４】
2006208423.tif 000006
【図５】
2006208423.tif 000007
【図６】
2006208423.tif 000008
【図７】
2006208423.tif 000009
【図８】
2006208423.tif 000010
【図９】
2006208423.tif 000011
【図１０】
2006208423.tif 000012